(57)【要約】【課題】  複数の有効ラインが設定された遊技機において、大当り遊技状態が終了した後に特定遊技状態になるか否かを報知する際に、複数の有効ラインを効果的に用いることにより、遊技の興趣向上を図ることができる遊技機を提供する。【解決手段】  パチンコ遊技機における表示部には、３行３列の図柄表示領域Ｅ１〜Ｅ９と、複数の有効ラインが設定されており、有効ライン上に大当り図柄を停止表示することで大当り遊技状態への移行報知を行う。また、大当り図柄が停止表示された後、図柄表示領域Ｅ１〜Ｅ９に表示された装飾図柄を選択する選択表示を行い、選択された装飾図柄を表示する選択結果表示によって、大当り遊技状態終了後に確変遊技状態に移行することを報知する。【選択図】  図２５
2008049064.tif 000002
【特許請求の範囲】
【請求項１】
通常遊技状態から前記通常遊技状態よりも遊技者にとって有利な大当り遊技状態に移行させる大当り移行条件の成否判定を行う大当り遊技状態移行判定手段と、
前記大当り遊技状態終了後に前記通常遊技状態よりも前記大当り遊技状態に移行し易くなる特定遊技状態に移行させる特定移行条件の成否判定を行う特定遊技状態移行判定手段と、
識別図柄を表示する複数の図柄表示領域を有し、前記図柄表示領域の組み合わせからなる有効ラインが複数設定された表示手段と、
前記表示手段に表示する前記識別図柄を変動表示および停止表示させる表示制御を行う表示制御手段と、
前記大当り遊技状態移行判定手段による移行判定結果および前記特定遊技状態移行判定手段による移行判定結果に基づいて、図柄表示領域に表示させる識別図柄を決定する報知識別図柄決定手段と、を備え、
前記報知識別図柄決定手段は、前記大当り遊技状態移行判定手段によって大当り移行条件が成立すると判定された場合に、前記有効ラインのいずれかに特定の識別図柄の組み合わせを決定し、
前記表示制御手段は、前記複数の図柄表示領域におけるすべての図柄表示領域に識別図柄を停止表示させた後、前記有効ラインのいずれかに前記特定の識別図柄の組み合わせが表示されている場合に、停止表示されている識別図柄を選択する選択表示を行い、その後、選択結果を表示する選択結果表示を行い、
前記特定遊技状態移行判定手段によって特定移行条件が成立すると判定された場合に、前記特定の識別図柄の組み合わせを構成する識別図柄である主図柄を選択結果表示し、
前記特定遊技状態移行判定手段によって特定移行条件が成立しないと判定された場合に、前記特定の識別図柄の組み合わせを構成する識別図柄以外の識別図柄である非主図柄を選択結果表示することを特徴とする遊技機。
【請求項２】
前記報知識別図柄決定手段は、前記特定遊技状態移行判定手段による移行判定結果に基づいて前記図柄表示領域に表示する主図柄の個数を決定する主図柄個数決定手段を有し、
前記主図柄個数決定手段は、前記特定遊技状態移行判定手段によって特定移行条件が成立すると判定された場合には、特定移行条件が成立しないと判定された場合よりも、前記図柄表示領域に表示する主図柄の個数を多く決定する割合を高くしている請求項１に記載の遊技機。
【請求項３】
前記表示制御手段における前記識別図柄の選択表示を行う際の選択表示パターンを複数記憶する選択表示パターン記憶手段と、
前記特定遊技状態移行判定手段による移行判定結果に基づいて、前記選択表示パターン記憶手段に記憶された複数の選択表示パターンの中から選択表示パターンを決定する選択表示パターン決定手段と、をさらに備え、
前記表示制御手段は、前記選択表示パターン決定手段によって決定された選択表示パターンに基づいて、停止表示されている識別図柄を選択する選択表示を行う請求項１または請求項２に記載の遊技機。
【請求項４】
遊技者が操作可能な操作手段と、
前記操作手段の操作を検知する操作検知手段と、をさらに備え、
前記表示制御手段は、前記操作検出手段によって検出された前記操作手段が操作されたタイミングに基づいて、選択結果表示の表示タイミングを決定する請求項１〜請求項３のうちのいずれか１項に記載の遊技機。
【発明の詳細な説明】
【技術分野】
【０００１】
本発明は、遊技機に係り、特に、通常遊技状態と遊技者にとって有利な特定遊技状態を備えるパチンコ遊技機などの遊技機および遊技用プログラムに関する。
【背景技術】
【０００２】
弾球遊技機であるパチンコ機、スロットマシンなどの遊技機においては、多くの賞球を得ることができる大当り遊技状態と、賞球を得る機会の少ない通常状態（通常遊技状態）とを備えるものが知られている。この種の遊技機は、たとえば、３×３のマトリックス状に配置された図柄表示領域（リール）を備え、複数の図柄表示領域の並びによって形成される所定の有効ライン上に所定の当り図柄を表示することで、通常遊技状態から大当り遊技状態への移行を報知する（特許文献１参照）。
【０００３】
また、この種の遊技機の中には、大当り遊技状態が終了した後において継続して遊技を行った場合に、再度、大当り遊技状態に移行し易くなる特定遊技状態（確変遊技状態）に移行するものが知られている。この遊技機では、所定の当り図柄を所定数以上の有効ライン上に表示することで、特定遊技状態への移行条件が成立したことを報知する（特許文献２参照）。
【特許文献１】特開１９９９−７０２３９号公報
【特許文献２】特開２０００−１８９５７３号公報
【発明の開示】
【発明が解決しようとする課題】
【０００４】
しかし、特許文献２に記載の従来の遊技機では、大当り遊技状態が終了した後に通常遊技状態になる場合と、大当り遊技状態が終了した後に特定遊技状態になる場合とを、所定の当り図柄が揃う有効ライン数で区別して報知している。具体的には、前者の場合には所定の当り図柄を単数の有効ライン上に表示し、後者の場合には所定の当り図柄を複数の有効ライン上に表示している。
【０００５】
このため、上記特許文献２に開示された遊技機では、特定遊技状態への移行条件が成立しなければ、複数の有効ライン上に所定の当り図柄を表示させることができない。したがって、多くの有効ラインが設定されていたとしても、単数の有効ラインにのみ所定の当り図柄が揃うことが多くなり、複数の有効ラインを効果的に用いて遊技の趣向を図ろうとした意図が減殺されてしまうという問題があった。
【０００６】
そこで、本発明の課題は、複数の有効ラインが設定された遊技機において、大当り遊技状態が終了した後に特定遊技状態になるか否かを報知する際に、複数の有効ラインに大当り図柄を表示する機会を増やすことにより、遊技の興趣向上を図ることができる遊技機を提供することにある。
【課題を解決するための手段】
【０００７】
上記課題を解決した本発明に係る遊技機は、通常遊技状態から通常遊技状態よりも遊技者にとって有利な大当り遊技状態に移行させる大当り移行条件の成否判定を行う大当り遊技状態移行判定手段と、大当り遊技状態終了後に通常遊技状態よりも大当り遊技状態に移行し易くなる特定遊技状態に移行させる特定移行条件の成否判定を行う特定遊技状態移行判定手段と、識別図柄を表示する複数の図柄表示領域を有し、図柄表示領域の組み合わせからなる有効ラインが複数設定された表示手段と、表示手段に表示する識別図柄を変動表示および停止表示させる表示制御を行う表示制御手段と、大当り遊技状態移行判定手段による移行判定結果および特定遊技状態移行判定手段による移行判定結果に基づいて、図柄表示領域に表示させる識別図柄を決定する報知識別図柄決定手段と、を備え、報知識別図柄決定手段は、大当り遊技状態移行判定手段によって大当り移行条件が成立すると判定された場合に、有効ラインのいずれかに特定の識別図柄の組み合わせを決定し、表示制御手段は、複数の図柄表示領域におけるすべての図柄表示領域に識別図柄を停止表示させた後、有効ラインのいずれかに特定の識別図柄の組み合わせが表示されている場合に、停止表示されている識別図柄を選択する選択表示を行い、その後、選択結果を表示する選択結果表示を行い、特定遊技状態移行判定手段によって特定移行条件が成立すると判定された場合に、特定の識別図柄の組み合わせを構成する識別図柄である主図柄を選択結果表示し、特定遊技状態移行判定手段によって特定移行条件が成立しないと判定された場合に、特定の識別図柄の組み合わせを構成する識別図柄以外の識別図柄である非主図柄を選択結果表示するものである。
【０００８】
本発明に係る遊技機においては、図柄表示領域に識別図柄が表示され、遊技者は、有効ライン上に表示される特定の識別図柄の組み合わせ（大当り図柄）を視認することで大当り遊技状態への移行を認識する。また、有効ライン上の図柄表示領域に表示される主図柄を選択結果表示するか否かを視認することにより、大当り遊技状態終了後に特定遊技状態へ移行することを認識する。そのため、大当り図柄が表示される有効ラインのライン数とは別に、主図柄が選択結果表示されるか否かによって特定遊技状態への移行を遊技者に報知できるので、大当り図柄が揃う有効ライン数を、特定遊技状態への移行とは別に決定できる。したがって、有効ライン数とは無関係に、有効ライン以外の図柄表示領域を含めた図柄表示領域に表示された識別図柄を用いて、大当り遊技状態が終了した後に特定遊技状態になることを報知できるので、複数の有効ライン上に大当り図柄が表示される機会を増やすことができる。よって、大当り遊技状態が終了した後に特定遊技状態になるか否かを報知する際に、複数の有効ラインに大当り図柄を表示する機会を増やすことにより、遊技の趣向の向上を図ることができる。
【０００９】
ここで、報知識別図柄決定手段は、特定遊技状態移行判定手段による移行判定結果に基づいて図柄表示領域に表示する主図柄の個数を決定する主図柄個数決定手段を有し、主図柄個数決定手段は、特定遊技状態移行判定手段によって特定移行条件が成立すると判定された場合には、特定移行条件が成立しないと判定された場合よりも、図柄表示領域に表示する主図柄の個数を多く決定する割合を高くしている態様とすることができる。
【００１０】
このように、特定遊技状態移行判定手段によって特定移行条件が成立すると判定された場合には、特定移行条件が成立しないと判定された場合よりも、図柄表示領域に表示する主図柄の個数を多く決定する割合を高くすることにより、有効ライン以外の図柄表示領域に主図柄が多く表示されるほど、特定遊技状態への移行の期待感を高めることができる。したがって、すべての図柄表示領域を有効に用いて、特定遊技状態への移行を報知することができ、さらに遊技の興趣向上を図ることができる。
【００１１】
また、表示制御手段における識別図柄の選択表示を行う際の選択表示パターンを複数記憶する選択表示パターン記憶手段と、特定遊技状態移行判定手段による移行判定結果に基づいて、選択表示パターン記憶手段に記憶された複数の選択表示パターンの中から選択表示パターンを決定する選択表示パターン決定手段と、をさらに備え、表示制御手段は、選択表示パターン決定手段によって決定された選択表示パターンに基づいて、停止表示されている識別図柄を選択する選択表示を行う態様とすることができる。
【００１２】
このように、特定遊技状態移行判定手段による移行判定結果に基づいて、選択表示パターン記憶手段に記憶された複数の選択表示パターンの中から選択表示パターンを決定することにより、選択表示パターンによっても特定遊技状態への移行の期待感を表すことができる。したがって、さらに遊技の興趣向上を図ることができる。
【００１３】
さらに、遊技者が操作可能な操作手段と、操作手段の操作を検知する操作検知手段と、をさらに備え、表示制御手段は、操作検出手段によって検出された操作手段が操作されたタイミングに基づいて、選択結果表示の表示タイミングを決定する態様とすることもできる。
【００１４】
このように、操作検出手段によって検出された操作手段が操作されたタイミングに基づいて、選択結果表示の表示タイミングを決定することにより、遊技者が特定遊技状態移行の報知に参加することができる。したがって、さらに遊技の興趣向上を図ることができる。
【発明の効果】
【００１５】
本発明に係る遊技機によれば、複数の有効ラインが設定された遊技機において、大当り遊技状態が終了した後に特定遊技状態になるか否かを報知する際に、複数の有効ラインを効果的に用いることにより、遊技の興趣向上を図ることができる。
【発明を実施するための最良の形態】
【００１６】
以下、本発明の好適な実施形態について図面を参照しながら説明する。なお、図面の説明において、同一または相当要素には同一の符号を付し、重複する説明は省略する。図１は本発明の実施形態に係るパチンコ遊技機を正面側から示す斜視図、図２は図１に示すパチンコ遊技機の分解斜視図、図３は図１に示すパチンコ遊技機を背面側から示す斜視図、図４は図２に示す遊技盤の正面図である。
【００１７】
（遊技機の構成）
図１に示すパチンコ遊技機１は、遊技場（ホール）の所定の設置枠に収容されて設置される外枠２を備えている。外枠２の正面側には、外枠２に対して回動可能に設けられたベースドア（内枠）３が配設され、ベースドア３内には、図２に示す遊技盤４が組み込まれている。また、外枠２の正面には、フロント扉５が設けられている。フロント扉５は、遊技盤４の正面を覆うとともに、ベースドア３の正面側に回動可能に設置されている。
【００１８】
また、パチンコ遊技機１には、プリペイドカードなどが挿入されると、当該プリペイドカードの残高に応じて、遊技球が貸し出されるように構成されたカードユニット８４が隣接して併設されている。
【００１９】
フロント扉５は、その中央の略全域にガラス板５ａを備え、その内側の遊技盤４が視認可能な構成とされている。フロント扉５の下部には、カードユニット８４のカード返却操作や遊技球の貸し出し（玉貸し）操作等を行う玉貸し操作関連ボタンを有する玉貸し操作パネル２８が設けられている。また、この玉貸し操作パネル２８には、所定の操作を行う決定ボタン２０ａおよび選択ボタン２０ｂ，２０ｃが設けられている。この選択ボタン２０ｂ，２０ｃは、後に説明する選択表示が行われる際の本発明の操作手段である操作ボタンとしても用いられる。また、メインＣＰＵ４１は、本発明の操作検知手段を構成する。
【００２０】
また、フロント扉５の下側には、外枠２に対して開閉可能な皿パネル６が設置されている。この皿パネル６の正面側には、カードユニット８４により貸し出された遊技球および後述する入賞口に入球した場合に払い出される遊技球を受け止める上皿６ａと、この上皿６ａの満杯時に球出口６ｄの内方で溢れた遊技球を受け止める下皿６ｂと、この下皿６ｂの右側に設けられた発射ハンドル６ｃと、が配置されている。
【００２１】
発射ハンドル６ｃは、上皿６ａに受け止められている遊技球を発射するためのもので、皿パネル６に対して回動自在に設けられ、遊技者は発射ハンドル６ｃを操作することによりパチンコ遊技を進めることができる。この発射ハンドル６ｃが遊技者によって握持され、かつ、時計回り方向へ回動操作されたときに、その回動角度に応じて、発射ハンドル６ｃの背面側に設けられた発射モータに電力が供給され、遊技球が遊技盤４に順次発射される。
【００２２】
発射された遊技球は、図４に示すように、遊技盤４の左側に設けられたガイドレール７により案内され、遊技盤４の上部に移動し、その後、図示しない遊技釘等との衝突によりその進行方向を変えながら遊技盤４の下方に向かって流下する。
【００２３】
遊技盤４には、遊技状態において遊技球が流下する領域となる遊技領域４ａ（図２参照）が形成されており、この遊技領域４ａ内に、遊技球の流下方向を変更させる多数の遊技釘が設けられている。また、図４に示すように、遊技領域４ａ上において、遊技盤面を左右に仕切る中心線上であって、高さ方向の中央部には始動入賞口９が設けられている。さらに、その中心線の左側であって高さ方向の中央部には、普通図柄作動ゲート１０が設けられている。
【００２４】
さらに、始動入賞口９のやや下側位置に大入賞口１１が設けられ、始動入賞口９の側方には、一般入賞口１２ａ〜１２ｄが設けられている。また、遊技領域４ａの中央部下端部には、アウト口１４が設けられている。
【００２５】
始動入賞口９は、遊技球が入賞可能とされている。始動入賞口９には、始動入賞口スイッチ９Ｓ（図５）が設けられており、始動入賞口９に遊技球が入賞することにより、始動入賞口スイッチ９Ｓが遊技球を検出する。始動入賞口スイッチ９Ｓが遊技球を検出すると、主制御回路３０におけるメインＣＰＵ３１では、大当り判定するための大当り特別図柄決定用乱数値等の抽出を行う。
【００２６】
普通図柄作動ゲート１０は、遊技球が通過可能とされており、遊技球が通過したことを条件として普通図柄当り決定用乱数値を抽出するトリガーとなる通過ゲートとされている。この普通図柄当り決定用乱数値の抽出により普通図柄の当り判定を行い、当り判定に当選した場合に、普通図柄Ｎに当り普通図柄を表示するとともに、始動入賞口９に具備されている１対の羽根９ａ，９ａが所定秒数の間開放する。
【００２７】
大入賞口１１は、いわゆるアタッカー式の開閉装置であり、上述した大当り特別図柄決定用乱数値に基づいて大当り判定を行い、特別図柄が大当りの表示結果となり、大当り遊技状態となったときに、閉じているシャッタが所定の態様で開閉する。大当り遊技状態とは、通常の遊技状態である通常遊技状態よりも遊技者にとって有利な特定遊技状態である。このシャッタが開いている状態が遊技球を受け入れやすい開状態となり、シャッタが閉じている状態が遊技球を受け入れ難い閉状態となる。大入賞口１１は、遊技球が入球（入賞）すると、所定数の遊技球（たとえば１５個）が賞球として払出されるトリガーとなる入賞口とされている。また、大入賞口１１は、開状態と閉状態との一回の開閉動作を１ラウンドとした開閉動作を行う。ここでの１ラウンド中における開状態としては、１ラウンド中大入賞口１１が一定時間開放し続ける状態のほか、１ラウンド中に開閉を断続的または間欠的に継続して、結果として遊技球を受け入れやすくする状態も含むものである。
【００２８】
一般入賞口１２ａ，１２ｂは、遊技球が入球（入賞）すると、所定数の遊技球（たとえば１０個）が賞球として払出されるトリガーとなる入賞口とされている。これらの一般入賞口１２ａ，１２ｂは、透光性基板１５に設けられている。
【００２９】
アウト口１４は、始動入賞口９、大入賞口１１、一般入賞口１２ａ，１２ｂなどの何れにも入球しなかった遊技球を受け入れるものである。
【００３０】
また、遊技盤４は、図２に示すように、透光性を有する透光性基板１５からなっている。この透光性基板１５は、たとえばポリカーボネートなどの合成樹脂あるいはその他の透明な部材（透光性部材）で形成された透明部を有している。ここで、「透明な部材」とは、その部材を通して対象を視認可能な程度に光透過率が高いものをいう。本実施形態の遊技領域４ａはその大半が透明遊技領域となっている。この透光性基板１５には、遊技釘が少なくともその先端部を埋設されて固定され、この透光性基板１５とフロント扉５のガラス板５ａにより形成された領域が遊技領域４ａとなっている。そして、図２に示すように、この透光性基板１５の背面側に各種の画像を表示する大画面の表示領域１６ａを備えた表示手段である液晶表示装置１６が配置されている。液晶表示装置１６に表示された画像は、透光性基板１５の略中央の遊技釘が設けられていない部分と、その周辺の遊技釘が設けられている部分を通して、遊技者がパチンコ遊技機１の正面側から視認できるようになっている。液晶表示装置１６は、後に説明する有効ラインに特定の識別図柄の組み合わせを構成する主図柄の組み合わせからなる大当り図柄を表示することにより、大当り遊技状態への移行を遊技者に報知する。
【００３１】
この表示領域１６ａには、図４に示すように、９つの図柄表示領域Ｅ１〜Ｅ９が設定され、各図柄表示領域には、本発明の識別図柄となる装飾図柄Ｄの各装飾図柄Ｄ１〜Ｄ９がそれぞれ可変表示および停止表示される。装飾図柄Ｄ１〜Ｄ９が停止表示された際の態様には、それぞれ「７」の数字を模した図柄からなる主図柄、「軍配」「酒樽」「手形」「扇子」「小槌」を模した図柄からなる「副図柄」、およびその他の桜の花びらを模したブランク図柄がそれぞれ設定されている。装飾図柄Ｄが変動表示される際には、図柄表示領域Ｅ１〜Ｅ９ごとにそれぞれ設定された図柄の配列の順番でそれぞれ表示される。各図柄表示領域Ｅ１〜Ｅ９の表示される各装飾図柄の表示順序などについては、後に説明する。また、表示領域１６ａには、装飾図柄Ｄの他にも、背景画像、キャラクタ画像等が表示される。
【００３２】
さらに、パチンコ遊技機１は、図２に示すように、液晶表示装置１６の上方に、所定の遊技状態となったことを遊技者に報知する効果音や音声などを出力するスピーカ１８Ｌ，１８Ｒ、図４に示すように、遊技盤４の下部に、所定の遊技状態となったことを所定のパターンで点灯・消灯することによって報知する装飾ランプ１９Ｌ，１９Ｒ、上述したカードユニット８４により貸し出された遊技球および始動入賞口９、大入賞口１１、一般入賞口１２ａ〜１２ｄにより賞球された遊技球を上皿６ａに払い出す払出装置８１（図５参照）等を具備している。
【００３３】
また、パチンコ遊技機１の背面側には、図３に示すように、大当り遊技状態に移行するか否かを判定する主制御回路３０を備える主制御基板２１、映像および音声等の演出を制御する副制御回路４０を備える副制御基板２２、遊技球の払出・発射を制御する払出・発射制御回路８０を備える払出・発射制御基板２３、電源を供給する電源供給ユニット２４、電源スイッチ２５、およびバックアップクリアスイッチ２６が、それぞれ配置されている。
【００３４】
さらに、図４に示すように、遊技領域４ａの上部には、特別図柄を変動表示させる保留球数（特別図柄保留個数）を報知する４つの特別図柄保留ランプＲ１〜Ｒ４が設けられており、左側の２つの特別図柄保留ランプＲ１，Ｒ２と右側の２つの特別図柄保留ランプＲ３，Ｒ４との間には、特別図柄Ｊおよび普通図柄Ｎを表示する図柄表示装置１６ｂが設けられている。特別図柄Ｊは、大当りか否の判定の結果を示す図柄であり、特別図柄Ｊとしては、「Ｆ」、「Ａ」、「Ｈ」、「−」の４種類の図柄が表示される。また、普通図柄表示装置は、特別図柄Ｊの表示位置の側方に配置されたＬＥＤランプからなり、普通図柄Ｎは、普通図柄表示装置の色によって表示される。さらに、図柄表示装置１６ｂと表示領域１６ａの間には、普通図柄を変動表示させる保留球数（普通図柄保留個数）を報知する普通図柄保留ランプｒ１〜ｒ４が設けられている。
【００３５】
これらの特別図柄Ｊのうち、「Ｆ」、「Ａ」、「Ｈ」が大当り特別図柄となる。特に、「Ｆ」は、１５Ｒ継続確変大当り特別図柄、「Ａ」は、２Ｒ継続確変大当り図柄、「Ｈ」は、通常大当り特別図柄となる。また、「−」ははずれ特別図柄となる。以後、１５Ｒ継続大当り特別図柄「Ｆ」「Ｈ」が表示される大当りをまとめて「１５Ｒ大当り」、２Ｒ継続確変大当り図柄「Ａ」が表示される大当りを「突確大当り」ということがある。さらに、普通図柄Ｎとしては、ＬＥＤランプが赤く点灯したときにはずれ普通図柄となり、緑色に点灯したときに当り普通図柄となる。
【００３６】
表示領域１６ａに停止表示される装飾図柄Ｄは、特別図柄Ｊに対応しており、特別図柄Ｊが「Ｆ」、「Ｈ」である場合には、図柄表示領域Ｅ１〜Ｅ９の組み合わせにより設定されている成立ラインＬ１〜Ｌ９の各図柄表示領域に「７」の主図柄が停止表示される。また、特別図柄Ｊが「−」、「Ａ」である場合には、その他の態様で各図柄表示領域Ｅ１〜Ｅ９に装飾図柄が停止表示される。さらに、特別図柄Ｊが「Ｆ」、「Ｈ」のいずれかである場合には、各図柄表示領域に表示された装飾図柄を選択する選択表示を行い、「Ｆ」の場合には、主図柄が選択結果表示されて確変大当りであることが報知され、「Ｈ」の場合には、副図柄またはブランク図柄が選択結果表示されて通常大当りであることが報知される。
【００３７】
図５は、図１〜図４に示すパチンコ遊技機１の内部の構成を中心に示すブロック構成図である。パチンコ遊技機１は、上述した主制御回路３０、副制御回路４０、払出・発射制御回路８０、電源供給ユニット２４を中心に複数の構成要素を有し、この電源供給ユニット２４は、主制御回路３０、副制御回路４０および払出・発射制御回路８０にそれぞれ接続され各々への電力供給が可能とされている。主制御回路３０は、１チップマイコンより構成されているメインＣＰＵ（Central  Processing  Unit）３１、メインＲＯＭ(Read  Only  Memory)３２およびメインＲＡＭ（Random  Access  Memory）３３を有し、他に初期リセット回路３４とコマンド出力ポート３５を有している。
【００３８】
メインＣＰＵ３１は、後述するカウントスイッチ１１ＣＳなどから遊技球の検出信号を入力する一方、メインＲＯＭ３２に記憶されている制御プログラムにしたがい作動して、パチンコ遊技機１における大当り抽選や、賞球排出といったパチンコ遊技機１全体の動作制御を司り、コマンド出力ポート３５を介して副制御回路４０に各種のコマンドを送信する。メインＣＰＵ３１は、大当り抽選の結果や遊技状態の消化などにより、通常遊技状態と大当り遊技状態との間を移行制御している。ここで、メインＣＰＵ３１は大当り遊技状態移行判定手段を構成しており、大当り抽選に当選することが、通常遊技状態から大当り遊技状態への移行を行う移行条件となる。
【００３９】
また、遊技状態としては、通常遊技状態および大当り遊技状態のほか、通常遊技状態よりも大当り遊技状態に移行しやすい特定遊技状態である確変遊技状態が設定されている。確変遊技状態では、通常遊技状態よりも、メインＣＰＵ３１における大当り抽選の当選確率を高く設定して、大当り遊技状態に移行しやすくしている。また、遊技状態として、時短遊技状態も設定されている。時短遊技状態では、通常遊技状態よりも普通図柄の変動時間を短縮することで始動入賞口９の羽根９ａを開きやすくし、場合によっては普通図柄の当選確率を高く設定して、さらに始動入賞口９の羽根９ａを開きやすくして始動入賞口９への入賞割合を高めている。こうして、短時間で多くの大当り抽選を行うことを可能とすることにより、結果として大当り遊技状態に移行しやすくしている。なお、通常遊技状態とは、大当り遊技状態、確変遊技状態、および時短遊技状態のいずれにもなっていない遊技状態を意味する。また、通常遊技状態および大当り遊技状態以外の遊技状態では、確変遊技状態と時短遊技状態とが同時に進行する場合もあり、確変遊技状態または時短遊技状態のみが進行する場合もある。メインＣＰＵ３１は、特定遊技状態移行判定手段を構成する。
【００４０】
メインＣＰＵ３１は、確変大当り遊技状態が終了した後は遊技状態を確変遊技状態と時短遊技状態とに移行させ、通常大当り遊技状態が終了した後は遊技状態を時短遊技状態へと移行させる。確変遊技状態では、次に大当り抽選当選するまで確変遊技状態が継続する。時短遊技状態では、次に大当り抽選に当選するか、所定回数、たとえば１００回の特別図柄の変動表示が終了するまで時短遊技状態が継続する。メインＣＰＵ３１は、時短遊技状態で大当り抽選に当選した場合には、遊技状態を大当り遊技状態に移行させ、所定回数の特別図柄の変動が終了した場合には、遊技状態を通常遊技状態に移行させる。なお、確変遊技状態は、次の所定の回数、たとえば１００回の特別図柄の変動が行われるまで継続し、大当り遊技状態に移行する前に１００回の特別図柄の変動が行われた場合に、通常遊技状態に移行する態様であってもよい。このように、メインＣＰＵ３１では、大当り遊技状態、通常遊技状態、確変遊技状態、および時短遊技状態のいずれに移行するかを制御している。また、確変大当り遊技状態から確変遊技状態に移行すると、装飾図柄Ｄの変動表示時間を短縮する制御を行う。
【００４１】
また、メインＲＯＭ３２には、メインＣＰＵ３１が実行する制御プログラムと、恒久的なデータが記憶されている。具体的には、図６（ａ）に示す特別図柄決定テーブル、図６（ｂ）に示す変動パターンテーブル等が記憶されている。さらに、メインＲＡＭ３３は、メインＣＰＵ３１が作動する際に用いるデータやプログラムが一時的に記憶されるようになっている。このメインＲＡＭ３３に、図柄指定コマンドおよび変動パターンコマンドなどの各種コマンドを副制御回路４０に送信するための送信バッファが設けられている。
【００４２】
メインＣＰＵ３１は、図６（ａ）に示す特別図柄決定テーブルから選択された特別図柄を図柄表示装置１６ｂに表示させる。メインＣＰＵ３１は、大当り決定用乱数値カウンタを用いて行われる大当り抽選の結果として取得される大当り決定用乱数値を特別図柄決定テーブルに参照して特別図柄を決定する。また、始動入賞口スイッチ９Ｓが遊技球の入賞を検出して検出信号を送信し、主制御回路３０がその検出信号を受信したときに行われる大当り抽選では、大当り特別図柄抽選も同時に行っている。大当り特別図柄抽選では、大当り特別図柄決定用乱数値カウンタを用いて行われる大当り特別図柄決定用乱数値（０〜９）から１つを取得する。ここで取得された大当り特別図柄決定用乱数値が０〜５の場合には、確変大当りであり、継続ラウンド数が１５となる図柄「Ｆ」を選択して図柄表示装置１６ｂに表示させる。また、取得された大当り特別図柄決定用乱数値が６〜７の場合には、確変大当りであり、継続ラウンド数が２ラウンドとなる図柄「Ａ」を選択して図柄表示装置１６ｂに表示させる。さらに、取得された大当り特別図柄決定用乱数値が８〜９の場合には、通常大当りであり、継続ラウンド数が１５ラウンドとなる図柄「Ｈ」を選択して図柄表示装置１６ｂに表示させる。なお、大当り特別図柄抽選は、大当り抽選によって大当りと判定された際に行う態様とすることもできる。また、大当りラウンド数の関係は図６に示すものに限られない。たとえば、「Ｈ」の大当りによって、２ラウンドしか継続されないものであってもよい。
【００４３】
また、大当り抽選に落選してはずれが選択された場合には、特別図柄決定テーブルから「−」を選択し、図４および図５に示す図柄表示装置１６ｂに特別図柄として表示させる。この場合、取得された大当り特別図柄決定用乱数値は不要となるので破棄される。このように、大当り抽選は、予め設定された確率で行われている。具体的に、通常遊技状態（時短遊技状態も含む）であるときには、１／３００の確率で大当り遊技状態へ移行する大当り抽選が行われ、確変遊技状態であるときには、５／３００の確率で大当り遊技状態へ移行する大当り抽選が行われる。
【００４４】
さらに、メインＣＰＵ３１は、選択された図柄に基づいて、図柄指定コマンドを決定する。具体的に、選択された図柄が「−」である場合には、図柄指定コマンドをｚ３と決定する。また、選択された図柄が「Ｆ」である場合には、図柄指定コマンドをｚ０と決定する。さらに、選択された図柄が「Ａ」である場合には、図柄指定コマンドをｚ１と決定する。そして、選択された図柄が「Ｈ」である場合には、図柄指定コマンドをｚ２と決定する。主制御回路３０は、メインＣＰＵ３１で決定した図柄指定コマンドをメインＲＡＭ３３に設けられた送信バッファにセットする。
【００４５】
また、メインＣＰＵ３１は、図６（ｂ）に示す変動パターンテーブルを参照して、変動パターンコマンドを決定する。変動パターンコマンドを決定するために、上記の大当り抽選および大当り特別図柄抽選とはさらに別個に変動パターン決定抽選を行う。変動パターン決定抽選では、変動パターン決定用乱数値カウンタにおける複数の変動パターン決定用乱数値から１つの変動パターン決定用乱数値を取得する。ここで取得された変動パターン決定用乱数値のほか、特別図柄の種類（大当り抽選の当落）および現在の遊技状態を図６（ｂ）に示す変動パターンテーブルに参照して、変動パターンコマンドを決定するとともに、変動パターンコマンドに対応する変動時間および演出内容を決定する。主制御回路３０は、メインＣＰＵ３１で決定した変動パターンコマンドをメインＲＡＭ３３に設けられた送信バッファにセットする。
【００４６】
具体的には、通常遊技状態中に大当り抽選に落選し、取得した変動パターン決定用乱数値が０〜７４である場合、変動パターンコマンド「ｈ０」を決定するとともに、演出内容として「通常変動」を決定する。また、取得した変動パターン決定用乱数値が７５〜９４である場合、変動パターンコマンド「ｈ２」を決定するとともに、演出内容として「ノーマルリーチ」を決定する。さらに、取得した変動パターン決定用乱数値が９５〜９９である場合、変動パターンコマンド「ｈ３」を決定するとともに、演出内容として「スーパーリーチ」を決定する。
【００４７】
また、時短遊技状態中または確変遊技状態中に大当り抽選に落選し、取得した変動パターン決定用乱数値が０〜７４である場合、変動パターンコマンド「ｈ１」を決定するとともに、演出内容として「短縮変動」を決定する。また、取得した変動パターン決定用乱数値が７５〜９４である場合、変動パターンコマンド「ｈ２」を決定するとともに、演出内容として「ノーマルリーチ」を決定する。さらに、取得した変動パターン決定用乱数値が９５〜９９である場合、変動パターンコマンド「ｈ３」を決定するとともに、演出内容として「スーパーリーチ」を決定する。
【００４８】
さらに、大当り抽選に当選し、選択された特別図柄が「Ｆ」または「Ｈ」であり、取得した変動パターン決定用乱数値が０〜１９である場合、変動パターンコマンド「ｈ４」を選択するとともに、演出内容として「ノーマルリーチ」を選択する。また、取得した変動パターン決定用乱数値が２０〜９９である場合、変動パターンコマンド「ｈ５」を選択するとともに、演出内容として「スーパーリーチ」を選択する。また、さらに、大当り抽選に当選し、選択された特別図柄Ｊが「Ａ」である場合には、取得した変動パターン決定用乱数値を破棄し、変動パターンコマンド「ｈ６」を選択するとともに、演出内容として「突然大当り演出」を選択する。
【００４９】
メインＣＰＵ３１は、メインＲＡＭ３３の送信バッファにセットされている図柄指定コマンドや変動パターンコマンドなどの各種コマンドをコマンド出力ポート３５より、副制御回路４０に送信する。初期リセット回路３４は、リセット信号をメインＣＰＵ３１に定期的に出力する。このリセット信号により、メインＣＰＵ３１は制御プログラムの先頭から処理を実行する。
【００５０】
また、主制御回路３０には、カウントスイッチ１１ＣＳをはじめとする各スイッチ等が接続されている。カウントスイッチ１１ＣＳは大入賞口１１に入賞した遊技球の個数を計測し、計測結果を示す検出信号を主制御回路３０に出力する。一般入賞口スイッチ１２Ｓは各一般入賞口１２ａ〜１２ｄに入賞した遊技球の検出信号を主制御回路３０に出力する。作動ゲートスイッチ１０Ｓは普通図柄作動ゲート１０を通過する遊技球の検出信号を主制御回路３０に出力する。始動入賞口スイッチ９Ｓは始動入賞口９に入賞した遊技球の検出信号を主制御回路３０に出力する。
【００５１】
始動口ソレノイド９Ｌは始動入賞口９に設けられた一対の羽根９ａ，９ａを開閉させ、大入賞口ソレノイド１１Ｌは大入賞口１１に設けられたシャッタを開閉させる。バックアップクリアスイッチ２６は、電断時等におけるバックアップデータを操作者の操作に応じてクリアする。
【００５２】
また、パチンコ遊技機１では、始動入賞口スイッチ９Ｓが遊技球の入賞を検出して検出信号を送信し、主制御回路３０がその検出信号を受信したときに、主制御回路３０におけるメインＣＰＵ３１は、上記の大当り抽選を行う。大当り抽選の結果、通常大当りまたは確変大当りが決定された場合には、遊技状態は通常遊技状態よりも遊技者にとって有利な大当り遊技状態に移行する。このように、大当り遊技状態には通常大当り遊技状態と確変大当り遊技状態とがあり、このうちの確変大当り遊技状態が特別大当り遊技状態となる。また、検出信号に基づく大当り抽選の結果を報知する装飾図柄の変動表示が行われている最中には、検出信号を最大４つ保留し、その保留個数と同数の特別図柄保留ランプＲ１〜Ｒ４を点灯させる。
【００５３】
さらに、大当り抽選の結果の大当りが通常大当りである場合は、大当り遊技状態終了後に、時短遊技状態に移行する。また、大当りが確変大当りである場合は、大当り遊技状態終了後に、確変遊技状態に移行する。一方、大当り抽選の結果がはずれとなった場合には、大入賞口１１の開閉制御を行うことはないが、大当りとなった場合には、大入賞口１１を開閉制御する。大入賞口１１の開閉制御では、大入賞口１１の開状態と閉状態との１回の開閉動作を１ラウンドとして、大当り特別図柄決定用乱数値に基づいて決定されたラウンド数まで大入賞口１１開閉動作の駆動制御を行う。
【００５４】
副制御回路４０は、主制御回路３０からコマンドを入力し、その入力したコマンドにしたがい、液晶表示装置１６を用いた装飾図柄の可変表示、リーチ演出、予告演出といった演出に必要な制御を行う一方、所定の画像を液晶表示装置１６に表示させる。また、副制御回路４０は、スピーカ１８Ｌ、１８Ｒを用いた音声出力による演出や装飾ランプ１９Ｌ、１９Ｒを用いた点滅表示による演出を行うのに必要な制御も行う。
【００５５】
この副制御回路４０は、サブＣＰＵ４１を中心に構成され、サブＲＯＭ４２と、サブＲＡＭ４３およびコマンド入力ポート４８を有し、画像制御回路５０と、音声制御回路６０、およびランプ制御回路７０を有している。
【００５６】
サブＣＰＵ４１は、主制御回路３０から入力したコマンドにしたがいサブＲＯＭ４２に記憶されているプログラムに沿った処理を実行し、画像制御回路５０、音声制御回路６０およびランプ制御回路７０を作動させる一方、選択ボタン２０ｂ，２０ｃ、決定ボタン２０ａからの信号等にしたがい電源供給ユニット２４を制御する。
【００５７】
サブＲＯＭ４２にはサブＣＰＵ４１が実行するプログラムと、恒久的なデータが記憶されている。具体的には、図７に示す表示パターンテーブル、図８に示す主図柄個数決定テーブル、および図９に示す選択表示パターンテーブル等が記憶され、主図柄、副図柄およびブランク図柄を各図柄表示領域Ｅ１〜Ｅ９に停止表示させるためのデータが記憶されている。サブＲＯＭ４２は、選択表示パターン記憶手段として構成されている。さらに、サブＲＯＭ４２には、サブＣＰＵ４１が作動する際に用いるデータやプログラム、表示領域１６ａに表示される複数種類の表示演出パターンが記憶されている。サブＣＰＵ４１は、表示制御手段、報知識別図柄決定手段、主図柄個数決定手段、および選択表示パターン決定手段を構成する。また、サブＲＡＭ４３には、主制御回路３０から送信される図柄指定コマンドおよび変動パターンコマンドなどの各種コマンドを格納するための受信バッファが設けられている。
【００５８】
サブＣＰＵ４１は、図７に示す表示パターンテーブルから選択された表示パターンに沿って、所定の演出を液晶表示装置１６の表示領域１６ａに表示させる。ここで、サブＣＰＵ４１は、表示パターン決定抽選を行う。表示パターン決定抽選では、表示パターン決定用乱数値カウンタにおける複数、たとえば０〜９９の表示パターン決定用乱数値から、１つの表示パターン決定用乱数値を取得する。このときに取得された表示パターン決定用乱数値と、主制御回路３０から送信された変動パターンコマンドを図７に示す表示パターンテーブルに参照して、表示パターンおよび表示内容を決定する。
【００５９】
さらに、サブＣＰＵ４１は、主制御回路３０から送信された図柄指定コマンドに基づいて、各図柄表示領域に表示する装飾図柄を決定する。サブＲＯＭ４２は、図示しない大当り用装飾図柄決定テーブルおよびはずれ用装飾図柄決定テーブルを有している。サブＣＰＵ４１は、主制御回路３０から送信された図柄指定コマンドを解析し、図柄指定コマンドがｚ１またはｚ３である場合には、装飾図柄決定抽選を行い、はずれ用装飾図柄決定テーブルを参照してはずれ用装飾図柄を決定する。
【００６０】
一方、図柄指定コマンドがｚ０またはｚ２である場合には、装飾図柄を決定する前に図柄表示領域に表示する主図柄「７」の数を決定する。図柄表示領域に表示する主図柄「７」の数を決定するために、主図柄数決定抽選を行う。主図柄個数決定抽選では、主図柄個数決定用乱数値カウンタにおける複数、たとえば０〜１２７の主図柄個数決定用乱数値から、１つの主図柄個数決定用乱数値を取得する。このときに取得された主図柄個数決定用乱数値と、主制御回路３０から送信された変動パターンコマンドを図８に示す主図柄個数決定テーブルに参照して、図柄表示領域に表示する主図柄「７」の数を決定する。
【００６１】
図柄表示領域に表示する主図柄「７」の数を決定したら、主図柄を表示する図柄表示領域を決定する図柄表示領域を決定する際には、まず大当り図柄を表示する有効ラインを決定し、図柄表示領域に表示する主図柄「７」の数から有効ラインに表示される主図柄の数を引いた数の図柄表示領域を、主図柄「７」を表示する図柄表示領域として決定する。それから、装飾図柄決定抽選を行い、大当り装飾図柄決定用テーブルを参照して有効ラインおよび主図柄「７」を表示する図柄表示領域以外の図柄表示領域に表示する装飾図柄を決定する。
【００６２】
また、サブＣＰＵ４１は、主制御回路３０から送信された図柄指定コマンドがｚ０またはｚ２であり、有効ラインに大当り図柄が表示される場合に、選択表示を行う際の選択表示パターンを決定するために、選択表示パターン決定抽選を行う。選択表示パターン決定抽選では、複数、たとえば０〜９の選択表示パターン決定用乱数値から、１つの選択表示パターン決定用乱数値を取得する。このときに取得された選択表示パターン決定用乱数値と、主制御回路３０から送信された変動パターンコマンドを図９に示す選択表示パターン決定テーブルに参照して、選択表示を行う際の選択表示パターンを決定する。
【００６３】
ここで、液晶表示装置１６における表示領域１６ａに表示される装飾図柄Ｄの表示態様について説明する。図１０（ａ）に模式的に示すように、液晶表示装置１６における表示領域１６ａには、９つの図柄表示領域Ｅ１〜Ｅ９が３行３列のマトリクス状に配置されている。各図柄表示領域における装飾図柄Ｄ１〜Ｄ９の停止順序を、図１０（ｂ）を用いて説明すると、これらの９つの図柄表示領域Ｅ１〜Ｅ９において、まず、第一，第九図柄表示領域Ｅ１，Ｅ９における装飾図柄（以下「第一停止図柄」ともいう）Ｄ１，Ｄ９が停止表示され、次に、第二，第四，第六，第八図柄表示領域Ｅ２，Ｅ４，Ｅ６，Ｅ８における装飾図柄（以下「第二停止図柄」ともいう）Ｄ２，Ｄ４，Ｄ６，Ｄ８が停止表示される。続いて、第三，第七図柄表示領域Ｅ３，Ｅ７における装飾図柄（以下「第三停止図柄」ともいう）Ｄ３，Ｄ７が停止表示される。そして、最後に第五図柄表示領域Ｅ５における装飾図柄（以下「第四停止図柄」ともいう）Ｄ５が停止表示される。
【００６４】
また、有効ラインとしては、図１０（ｃ）に示すように、第一〜第八有効ラインＬ１〜Ｌ８が設定されている。第一有効ラインＬ１は、第一，第二，第三図柄表示領域Ｅ１，Ｅ２，Ｅ３からなり、第二有効ラインＬ２は、第四，第五，第六図柄表示領域Ｅ４，Ｅ５，Ｅ６からなる。また、第三有効ラインＬ３は、第七，第八，第九図柄表示領域Ｅ７，Ｅ８，Ｅ９からなり、第四有効ラインＬ４は、第一，第四，第七図柄表示領域Ｅ１，Ｅ４，Ｅ７からなる。さらに、第五有効ラインＬ５は、第二，第五，第八図柄表示領域Ｅ２，Ｅ５，Ｅ８からなり、第六有効ラインＬ６は、第三，第六，第九図柄表示領域Ｅ３，Ｅ６，Ｅ９からなる。そして、第七有効ラインＬ７は、第一，第五，第九図柄表示領域Ｅ１，Ｅ５，Ｅ９からなり、第八有効ラインＬ８は、第三，第五，第七図柄表示領域Ｅ３，Ｅ５，Ｅ７からなる。
【００６５】
さらに、各図柄表示領域Ｅ１〜Ｅ９では、それぞれ図柄の変動表示配列が設定されている。いま、図１１（ａ）に示すように、第一，第二，第四，第六，第八，第九図柄表示領域Ｅ１，Ｅ２，Ｅ４，Ｅ６，Ｅ８，Ｅ９の表示配列をＡパターン、第三，第七図柄表示領域Ｅ３，Ｅ７の表示配列をＢパターン、第五図柄表示領域Ｅ５の表示配列をＣパターンとする。ここで、Ａパターンでは、図１１（ｂ）に示す７種９個の図柄が変動表示される。この変動表示では、表示番号が若い順に順次表示され、具体的に「小槌」→「扇子」→「ブランク」→「手形」→「ブランク」→「酒樽」→「ブランク」→「軍配」→「７」→「小槌」→…の順序で変動表示される。
【００６６】
また、Ｂパターンでは、図１１（ｃ）に示す７種２１個の図柄が変動表示され、Ｃパターンでは、図１１（ｄ）に示す７種２１個の図柄が変動表示される。そして、たとえば、大当り図柄が表示される場合であって、有効ラインが１ラインであり、主図柄が３個である場合には、図１２（ａ）、（ｂ）に示すように、１つの有効ラインのすべての図柄表示領域に主図柄が表示され、他の図柄表示領域には、副図柄またはブランク図柄が表示される。あるいは、たとえば図１２（ｃ）に示すように、１つの有効ラインに大当り図柄が表示され、表示される主図柄が５つであったり、図１２（ｄ）に示すように、３つの有効ラインに大当り図柄が表示され、表示される主図柄が７つであったりする態様となる。
【００６７】
さらに、サブＣＰＵ４１は、決定した表示パターンおよび装飾図柄に基づいて、各図柄表示領域における図柄を可変表示させ、変動表示から停止表示に至るまでの表示制御を行う。サブＣＰＵ４１は、所定の始動条件の成立である始動入賞口９への遊技球の入賞があった場合に、液晶表示装置１６に表示する装飾図柄Ｄ１〜Ｄ９を変動表示させ、装飾図柄Ｄ１〜Ｄ９を所定の変動時間の経過後に停止表示させる表示制御を行う。
【００６８】
画像制御回路５０は、ＶＤＰ（Video  Display  Processor）５１と、Ｄ／Ａコンバータ５２と、初期リセット回路５３と、画像データＲＯＭ（画像記憶手段）５４ａ，５４ｂとを有している。ＶＤＰ５１は、サブＣＰＵ４１で決定された液晶表示装置１６に表示させる内容に応じた画像を形成し、その形成された画像をＤ／Ａコンバータ５２に出力する。Ｄ／Ａコンバータ５２はＶＤＰ５１から出力される画像データをＤ／Ａ変換して、変換により得られたアナログ信号を液晶表示装置１６に出力し、画像を表示させる。初期リセット回路５３はサブＣＰＵ４１からのリセット命令を受けて、ＶＤＰ５１を初期状態に戻す処理を実行する。画像データＲＯＭ５４ａには、装飾図柄、キャラクタ、背景などを示す画像のデータ（画像データ）を記憶し、画像データＲＯＭ５４ｂには、各種画像データを液晶表示装置１６に表示させるための画像データを記憶している。ＶＤＰ５１は、サブＣＰＵ４１から出力される装飾図柄および特別図柄に対応する画像データを画像データＲＯＭ５４ａ，５４ｂから読み出し、この画像データに基づく図柄等の画像を液晶表示装置１６に表示させる。
【００６９】
音声制御回路６０は、音源ＩＣ６１と、アンプ（以下「ＡＭＰ」という）６２と、音声データＲＯＭ６３とを有している。音源ＩＣ６１は、サブＣＰＵ４１からの指示にしたがい、音声データＲＯＭ６３に記憶されている音声データを用いて音声信号を生成する。ＡＭＰ６２は、音源ＩＣ６１により生成された音声信号を適切なレベルに増幅し、増幅した音声信号をスピーカ１８Ｌ、１８Ｒに供給して音声を出力させる。音声データＲＯＭ６３は予告演出、リーチ演出、大当り演出などに用いられる音楽、音声、効果音などのデータ（音声データ）を記憶している。
【００７０】
ランプ制御回路７０は、装飾ランプ１９Ｌ、１９Ｒの点滅パターンを示す装飾データを記憶した装飾データＲＯＭ７１と、サブＣＰＵ４１からの指示にしたがい、装飾データＲＯＭ７１に記憶されている装飾データを用いて装飾ランプ１９Ｌ、１９Ｒを点滅させるドライブ回路７２とを有している。
【００７１】
払出・発射制御回路８０は、主制御回路３０の制御にしたがい払出装置８１と、発射ハンドル６ｃおよび発射モータを有する発射装置８２とを作動させて、所定数の遊技球を賞球として払出させるとともに、遊技球を遊技盤４上の遊技領域４ａに向けて発射させる。
【００７２】
電源供給ユニット２４は、副制御回路４０の制御にしたがい副制御回路４０、主制御回路３０および払出・発射制御回路８０への電力供給を行う。
【００７３】
（パチンコ遊技機の動作内容）
次に、パチンコ遊技機１の動作内容のうち、主制御回路３０および副制御回路４０による制御処理の手順について、図１３〜図２１までのフローチャートを参照して説明する。図１３はパチンコ遊技機１において、電源を投入したあとに主制御回路３０により繰返し実行されるメイン制御処理の動作手順を示すフローチャート（メインフローチャート）である。
【００７４】
（メイン制御処理の動作手順）
図１３に示すように、パチンコ遊技機１は、電源投入に伴い主制御回路３０のメインＣＰＵ３１がメイン制御処理を開始し、初期設定処理を行い（Ｓ１）、続いて初期値乱数更新処理を行う（Ｓ２）。初期値乱数更新処理では、普通図柄当り決定用乱数値、大当り特別図柄決定用乱数値などを所定の演算方法により更新する。初期値乱数更新処理が済んだら、タイマ更新処理を行う（Ｓ３）。タイマ更新処理では、主制御回路３０における各種待ち時間タイマを更新する。タイマ更新処理が済んだら、特別図柄制御処理を行う（Ｓ４）。特別図柄制御処理については、メイン制御処理の全体の説明の後に説明する。
【００７５】
特別図柄制御処理が済んだら、普通図柄制御処理を行う（Ｓ５）。普通図柄制御処理では、図柄表示装置１６ｂに表示される普通図柄に関する制御を行う。普通図柄制御処理を開始すると、普通図柄制御状態フラグを読み出し、読み出した普通図柄制御状態フラグに応じて普通図柄の変動時間、停止表示された普通図柄の態様を監視する。そして、その普通図柄の態様が所定の態様であるときは羽根９ａの開放、閉鎖を示す変数をメインＲＡＭ３３に記憶して、普通図柄制御処理が終了する。
【００７６】
普通図柄制御処理が済んだら、図柄表示装置制御処理を行う（Ｓ６）。図柄表示装置制御処理では、ステップＳ２における特別図柄制御処理およびステップＳ３における普通図柄制御処理の結果に基づいて、図４に示す特別図柄Ｊ、普通図柄Ｎなどの可変表示の表示制御を行う。
【００７７】
図柄表示装置制御処理が済んだら、遊技状態データ生成処理を行う（Ｓ７）。遊技情報データ生成処理では、特別図柄制御処理で行われる大当り判定処理や特別図柄決定処理などの結果に基づいて、各種遊技情報データを生成する。遊技情報データ生成処理が済んだら、図柄保留個数データ生成処理を行う（Ｓ８）。図柄保留個数データ生成処理では、特別図柄制御処理の後における特別図柄保留個数および普通図柄保留個数のデータを生成する。
【００７８】
図柄保留個数データ生成処理が済んだら、ポート出力処理を行う（Ｓ９）。ポート出力処理では、特別図柄制御処理でセットされる大入賞口開放中データや大入賞口閉鎖データに基づく大入賞口の開閉制御などを行う。ポート出力処理が済んだら、入賞口関連コマンド制御処理を行う（Ｓ１０）。入賞口関連コマンド制御処理では、特別図柄制御処理でセットされる大当り開始コマンドなどに基づく制御を行う。
【００７９】
入賞口関連コマンド制御処理が済んだら、遊技状態コマンド制御処理を行う（Ｓ１１）。遊技状態コマンド制御処理では、特別図柄制御処理でセットされる遊技状態コマンドなどに基づく制御を行う。遊技状態コマンド制御処理が済んだら、コマンド出力制御処理を行う（Ｓ１２）。コマンド出力制御処理では、メインＲＡＭ３３における送信バッファにセットされた各コマンドを副制御回路４０に送信する。コマンド出力制御処理が済んだら、ステップＳ２に戻り、初期値乱数更新処理を行う。
【００８０】
初期値乱数更新処理が済んだら、以後、このステップＳ２〜ステップＳ１２の工程を順次実行する繰返ルーチンに進む。なお、このメイン制御処理には、主として、メイン制御処理で用いられる乱数を更新するため、割込許可フラグの設定を条件に定期的（たとえば２ｍｓごと）にシステムタイマ割込み処理が割込んで実行される。
【００８１】
次に、特別図柄制御処理（Ｓ４）について説明する。図１４は、特別図柄制御処理の手順を示すフローチャートである。特別図柄制御処理を開始すると、まず、制御状態フラグをロードする（Ｓ２１）。この制御状態フラグは、液晶表示装置１６における図柄の可変表示画像を用いた特別図柄ゲームの状態を示すフラグであって、メインＣＰＵ３１が後続の各ステップいずれを実行するかを判定するためのデータが設定されている。
【００８２】
次に、特別図柄記憶チェック処理を行う（Ｓ２２）。特別図柄記憶チェック処理については、特別図柄制御処理の説明の後、詳しく説明する。特別図柄記憶チェック処理が済んだら、特別図柄変動時間管理処理を行う（Ｓ２３）。特別図柄変動時間管理処理では、制御状態フラグが特別図柄変動時間管理を示すデータ“０１”である場合に、特別図柄記憶チェック処理中のステップＳ３８における変動パターン決定処理で決定された変動時間の待ち時間タイマ（ｔ）が０となったら制御状態フラグに特別図柄表示時間管理を示すデータ“０２”をセットする。このとき、図柄表示装置制御処理において図柄停止を認識し、図柄表示装置では特別図柄決定処理においてセットされた図柄データに基づく表示結果が導出される。さらに特別図柄変動時間が確定した後の時間に対応する確定後待ち時間（たとえば０．７５秒）を待ち時間タイマ（ｔ）にセットする。こうして、特別図柄変動時間管理処理を終了する。
【００８３】
特別図柄変動時間管理処理が済んだら、特別図柄表示時間管理処理を行う（Ｓ２４）。特別図柄表示時間管理処理では、制御状態フラグが特別図柄表示時間管理を示す値データ“０２”でないときには処理を終了し、データ“０２”であるときには、特別図柄変動時間管理処理で決定された確定後待ち時間タイマに対応する時間だけ待機し、待ち時間タイマが０となったら、図柄確定コマンドをメインＲＡＭ３３における送信バッファにセットするとともに、特別図柄記憶チェック中のステップＳ３６における大当り判定処理で行われる大当り判定の結果に基づく制御フラグをセットする。具体的に、大当り判定の結果が大当りであった場合には、制御状態フラグに大当り開始インターバル管理を示すデータ“０３”をセットし、大当り開始インターバルに対応する時間（たとえば５秒）を待ち時間タイマ（ｔ）にセットする。その後、大当り開始コマンドをセットする。ここでは、特別図柄決定処理でセットされた大入賞口開放回数決定用データに基づき、大当り開始コマンドの種類が１５Ｒ大当りであるか突確であるかが決定される。それから、大入賞口開放回数上限値をセットする。大入賞口開放回数上限値は、１５Ｒ大当りである場合には１５回にセットされ、突確である場合には２回にセットされる。その後、大入賞口開放回数上限値に対応する大入賞口開放回数表示ＬＥＤパターンフラグをセットし、図柄表示装置制御処理において、セットされた大入賞口開放回数表示ＬＥＤパターンフラグに対応するＬＥＤを点灯させ、特別図柄表示時間管理処理を終了する。一方、大当り判定の結果がはずれであった場合には、制御状態フラグに特別図柄ゲーム終了を示すデータ“０７”をセットし、時短状態変動回数カウンタの減算等を行った後、特別図柄表示時間管理処理を終了する。
【００８４】
特別図柄表示時間管理処理が済んだら、大当り開始インターバル管理処理を行う（Ｓ２５）。大当り開始インターバル管理処理では、制御状態フラグが大当り開始インターバル管理を示すデータ“０３”でないときには処理を終了し、データ“０３”であるときは、ステップＳ２４でセットされた大当り開始インターバル対応時間だけ待機し、大当り開始インターバル対応時間が経過したのち、大入賞口を開放させるため、メインＲＯＭ３２から読み出されたデータに基づいてメインＲＡＭ３３に位置づけられた変数を更新する。さらに、メインＣＰＵ３１は大入賞口開放中処理を示すデータ“０４”を制御状態フラグにセットし、開放上限時間を大入賞口時間タイマにセットする。開放上限時間は、１５Ｒ大当りである場合には２８秒とし、突確である場合には０．２秒とする。大入賞口開放中データがセットされると、ポート出力処理において大入賞口ソレノイドが駆動して大入賞口が開放する。こうして、大当り開始インターバル管理処理を終了する。
【００８５】
続いて、大入賞口再開放前待ち時間管理処理を行う（Ｓ２６）。大入賞口再開放前待ち時間管理処理では、制御状態フラグが大入賞口再開放前待ち時間管理処理を示すデータ“０５”でないときには処理を終了しデータ“０５”であるときは、ステップＳ２７における大入賞口開放中処理でセットされるラウンド間インターバルに対応する時間だけ待機する。メインＣＰＵ３１はラウンド間インターバルに対応する時間を経過した場合に、大入賞口開放回数カウンタを“１”加算して更新し、大入賞口開放回数カウンタがその上限値となっているか否かを判定する。その結果、上限値となっていると判定した場合には最終ラウンドの大入賞口開放中表示コマンドデータをセットし、上限値となっていないと判定した場合には対応するラウンドの大入賞口開放中表示コマンドをセットする。その後、大入賞口開放中処理を示すデータ“０４”を制御状態フラグにセットし、大入賞口入賞カウンタをクリアする。そして開放上限時間を大入賞口時間タイマにセットする。開放上限時間は、１５Ｒ大当りである場合には２８秒とし、突確である場合には０．２秒とする。こうして大入賞口再開放前待ち時管理処理を終了する。
【００８６】
続いて、大入賞口開放中処理を行う（Ｓ２７）。大入賞口開放中処理では、制御状態フラグが大入賞口開放中処理を示すデータ“０４”でないときには処理を終了し、データ“０４”であるときには、大入賞口入賞カウンタが９以上であるかを判定し、９以上でない場合には、開放上限時間を経過したか（大入賞口時間タイマが“０”）を判定する。その結果、大入賞口入賞カウンタが９以上であるか開放上限時間が経過している場合には、大入賞口閉鎖データをセットする。開放上限時間を経過していない場合には、大入賞口開放中処理を終了する。大入賞口閉鎖データをセットしたら、大入賞口開放回数カウンタが上限値となっているか否かを判定し、上限値となっていないと判定した場合には、ラウンド間インターバル表示時間としての待ち時間タイマを所定時間、たとえば２秒にセットし、大入賞口再開放前待ち時間管理処理を示すデータ“０５”に制御状態フラグをセットし、さらにラウンド間表示コマンドをセットして大入賞口開放中処理を終了する。一方、上限値となっていると判定した場合には、大当り終了インターバル表示時間としての待ち時間タイマを所定時間、たとえば５秒にセットし、大当り終了インターバル処理を示すデータ“０６”に制御状態フラグをセットし、大当り終了表示コマンドをセットして大入賞口開放中処理を終了する。
【００８７】
それから、大当り終了インターバル処理を行う（Ｓ２８）。大当り終了インターバル処理では、制御状態フラグが大当り終了インターバル処理を示すデータ“０６”でない場合には処理を終了し、データ“０６”である場合には大当り終了インターバル処理に対応する待ち時間だけ待機する。メインＣＰＵ３１は大当り終了インターバル処理に対応する時間を経過した場合に、大入賞口開放回数ＬＥＤパターンフラグをクリアして制御状態フラグに特別図柄ゲーム終了を示すデータ“０７”をセットする。その後、大当りが確変大当り（１５Ｒ確変大当りまたは突確）であるか通常大当りであるかを判定し、確変大当りである場合には遊技状態フラグとして高確率をセットするとともに、確変遊技状態コマンドをセットする。また、通常大当りであると判定した場合には、遊技状態フラグとして低確率時短をセットするとともに、時短遊技状態コマンドをセットする。その後、時短状態変動回数カウンタを１００回にセットする。こうして、大当り終了インターバル処理を終了する。
【００８８】
大当り終了インターバル処理が済んだら、特別図柄ゲーム終了処理を行う（Ｓ２９）。制御状態フラグが特別図柄ゲーム終了処理を示すデータ“０７”であるときに大当りフラグをクリアし、制御状態フラグとして特別図柄記憶チェック処理を示すデータ“００”をセットして、特別図柄ゲーム終了処理を終了する。また、データ“０７”でない場合には、そのまま特別図柄ゲーム終了処理を終了する。ステップＳ２９が終了すると、ステップＳ２の特別図柄制御処理が終了する。
【００８９】
次に、特別図柄記憶チェック処理について説明する。図１５は、特別図柄記憶チェック処理の手順を示すフローチャートである。図１５に示すように、この特別図柄記憶チェック処理を開始すると、メインＣＰＵ３１は、制御状態フラグが特別図柄記憶チェックを示すデータ“００”であるか否かを判断する（Ｓ３１）。その結果、データが “００”でなければ処理を終了する。また、データが“００”である場合には、始動記憶数が０を超えているか否かを判定する（Ｓ３２）。その結果、始動記憶数が０を超えておらず、０である場合にはデモ表示処理を行い（Ｓ３３）、その後、処理を終了する。一方、始動記憶数が“０”でなければ、制御状態フラグに特別図柄変動時間管理を示すデータ“０１”をセットする（Ｓ３４）。
【００９０】
制御状態フラグに特別図柄変動時間管理を示すデータ“０１”をセットしたら、始動記憶数を１減算するとともに、特別図柄記憶領域に記憶されたデータの転送を行う（Ｓ３５）。ここでは、第一特別図柄記憶領域〜第四特別図柄記憶領域に記憶されたデータを、それぞれ第０特別図柄記憶領域〜第三特別図柄記憶領域に転送する。特別図柄記憶領域には、大当り抽選の結果として取得された大当り決定用乱数値および大当り特別図柄抽選の結果として取得された大当り特別図柄決定用乱数値が記憶されており、これらの乱数からなるデータがそれぞれ転送される。
【００９１】
続いて、大当り判定処理を行う（Ｓ３６）。大当り判定処理では、現在の遊技状態が高確率状態であるか低確率状態であるかに基づいて、図６（ａ）に示す特別図柄決定テーブルにおける大当り決定を確認し、第０特別図柄記憶領域に記憶されている大当り決定用乱数値が、大当り乱数値となっているか否かの判定を行う。たとえば、低確率状態のとき、第０特別図柄記憶領域に記憶されている大当り決定用乱数値が７であれば大当りとなり、７以外の数であればはずれとなる。また、高確率状態のとき、第０特別図柄記憶領域に記憶されている大当り決定用乱数値が３、５、７、１１、１３であれば大当りとなり、それ以外の数であればはずれとなる。
【００９２】
大当り判定処理が済んだら、特別図柄決定処理を行う（Ｓ３７）。特別図柄決定処理については、特別図柄記憶チェック処理の説明の後に詳しく説明する。特別図柄決定処理が済んだら、変動パターン決定処理を行う（Ｓ３８）。変動パターン決定処理では、現在の遊技状態、大当り判定処理の結果（大当りの当落）、および第０特別図柄記憶領域に記憶されている乱数値に基づく特別図柄の種類に基づいて変動パターン決定用テーブルを選択する。また、変動パターン決定用乱数値カウンタから変動パターン決定用乱数値を抽出し、選択した変動パターン決定テーブルに参照して変動パターンコマンドおよび変動時間を決定する。メインＣＰＵ３１は、決定した変動パターンコマンドをメインＲＡＭ３３に設けられた送信バッファにセットする。
【００９３】
変動パターン決定処理が済んだら、第０特別図柄記憶領域に記憶された乱数値をクリアする（Ｓ３９）。こうして、特別図柄記憶チェック処理を終了する。
【００９４】
続いて、特別図柄決定処理について説明する。図１６は、特別図柄決定処理の手順を示すフローチャートである。図１６に示すように、特別図柄決定処理においては、ステップＳ３６で行われた大当り判定処理における大当り判定の結果、大当りであるか否かを判定する（Ｓ４１）。その結果、大当りでないと判定した場合には、図柄表示装置制御処理で用いられる図柄データとして、ハズレ図柄データ「−」をセットするとともに、ハズレ図柄に対応する図柄指定コマンド「ｚ３」を含む図柄コマンドデータをメインＲＡＭ３３における送信バッファにセットする（Ｓ４２）。
【００９５】
また、大当りであると判定した場合には、第０特別図柄記憶領域に記憶されている大当り特別図柄決定用乱数値を図６（ａ）に示す特別図柄決定テーブルに参照して、大当り図柄を決定する（Ｓ４３）。続いて、図柄表示装置制御処理で用いられる図柄データとして、決定した大当り図柄に対応する図柄データ「Ｆ」「Ａ」「Ｈ」のいずれかをセットするとともに、図柄データに対応する図柄指定コマンド「ｚ０」「ｚ１」「ｚ２」のいずれかを含む図柄コマンドデータ送信バッファにセットする（Ｓ４４）。その後、大当り開始インターバル表示時間決定用データおよび大入賞口開放回数決定用データをセットし（Ｓ４５）、続いて大当り表示終了決定用データおよび大当り終了後遊技状態決定用データをセットする（Ｓ４６）。こうして、特別図柄決定処理を終了する。
【００９６】
（システムタイマ割込処理の動作手順）
主制御回路３０では、上述したメイン制御処理とともに、割込許可フラグが設定されていることを条件に、主として、メイン制御処理で用いられる乱数を更新するため、定期的（たとえば２ｍｓごと）にメイン制御処理に割込むシステムタイマ割込処理を図１７に示すフローチャートに沿って実行している。以下、システムタイマ割込処理の手順を図１７に示すフローチャートを参照して説明する。
【００９７】
図１７に示すように、パチンコ遊技機１は、システムタイマ割込処理を開始すると、メモリ内の記憶領域（レジスタ）に記憶された、メイン制御処理における実行中のプログラムアドレスデータ等を一旦退避させ（Ｓ５１）、乱数更新処理を行う（Ｓ５２）。乱数更新処理では、メインＣＰＵ３１が、大当り決定用乱数値や大当り特別図柄決定用乱数値を更新する処理を行う。乱数更新処理が済んだら、スイッチ入力検出処理を行う（Ｓ５３）。
【００９８】
スイッチ入力検出処理では、賞球関連スイッチの入力チェック、特別図柄ゲーム関連のスイッチ入力チェック、普通図柄関連のスイッチ入力チェックを行う。特別図柄ゲーム関連のスイッチ入力チェックでは、カウントスイッチ１１ＣＳ、始動入賞口スイッチ９Ｓそれぞれの検出信号の出力チェックを行う。
【００９９】
ここで、始動入賞口スイッチ９Ｓからの出力があると、始動記憶数カウンタが４未満のときには、大当り決定用乱数値カウンタから大当り決定用乱数値を抽出し、大当り特別図柄決定用乱数値カウンタから大当り特別図柄決定用乱数を抽出する。また、抽出した大当り決定用乱数値および大当り特別図柄決定用乱数値をメインＲＡＭ３３に記憶させ、これらの乱数値がステップＳ３６〜ステップＳ３７における大当り判定処理および特別図柄決定処理に用いられる。また、可変表示中や大当り中に始動入賞口９に遊技球が入賞した場合、最大４つまでしか始動記憶として乱数を記憶しない。このため、始動記憶数カウンタが４以上となっているときには、可変表示中や大当り中に始動入賞口９に遊技球が入賞した場合でも、上記の大当り決定用乱数値の抽出等の処理を行わない。こうして、スイッチ入力検出処理を終了する。
【０１００】
スイッチ入力検出処理が済んだら、退避させたメイン制御処理のプログラムアドレスデータ等のレジスタを復帰させ（Ｓ５４）、メイン制御処理を中断した（退避させた）時点から再開する。こうして、システムタイマ割込処理が終了する。
【０１０１】
（副制御回路の動作手順）
次に、副制御回路４０の動作について説明する。副制御回路４０では、主制御回路３０から送信されたコマンドを受信することにより、図柄制御、音制御、およびランプ制御等を行う。図１８は、副制御回路４０により繰返し実行されるサブ制御処理の手順を示すフローチャートである。
【０１０２】
図１８に示すように、サブＣＰＵ４１では、最初に所定の初期設定処理を行い（Ｓ６１）、次に乱数更新処理を行う（Ｓ６２）。続いて、主制御回路３０から送信され、サブＲＡＭ４３における受信バッファに格納されている各種コマンドのコマンド解析制御処理を行う（Ｓ６３）。コマンド解析制御処理が済んだら、表示制御処理を行う（Ｓ６４）。これらのコマンド解析制御処理および表示制御処理については、サブ制御処理の説明が終了した後に詳しく説明する。表示制御処理が済んだら、音制御処理を行う（Ｓ６５）。音制御処理では、主制御回路３０からのコマンドに基づいてスピーカ１８Ｌ，１８Ｒから発生させる音声に関する音声制御処理を行う。この音声制御処理では、音源ＩＣ６１は、音声データＲＯＭ６３から音声データを読み出し、音声データを所定の音声信号に変換して、その音声信号をＡＭＰ６２に供給する。このＡＭＰ６２は、音声信号を増幅して、スピーカ１８Ｌ，１８Ｒから音声を発生させる。
【０１０３】
続いて、ランプ制御処理を行う（Ｓ６６）。ランプ制御処理では、主制御回路３０からのコマンドに基づいて装飾ランプ１９Ｌ，１９Ｒの点滅に関するランプ制御処理を実行する。このランプ制御処理では、サブＣＰＵ４１は、装飾データＲＯＭ７１からランプ装飾パターンを読み出し、ドライブ回路７２を介して、装飾ランプ１９Ｌ，１９Ｒを点滅させる。以降ステップＳ６２〜ステップＳ６６を繰り返し実行する。
【０１０４】
次に、コマンド解析制御処理について説明する。図１９は、コマンド解析制御処理の手順を示すフローチャートである。図１９に示すように、コマンド解析制御処理では、まず副制御回路４０が主制御回路３０から送信される変動パターンコマンドを受信したか否かを判定する（Ｓ７１）。具体的には、サブＲＡＭ４３における受信バッファに変動パターンコマンドが格納されているかを確認する。その結果、変動パターンコマンドを受信していれば、表示パターン決定処理を行う（Ｓ７２）。
【０１０５】
表示パターン決定処理では、表示パターン決定用乱数値カウンタから表示パターン決定用乱数値を抽出し、抽出した表示パターン決定用乱数値と主制御回路３０から送信された変動パターンコマンドとを図７に示す表示パターンテーブルに参照して、表示パターンを決定する。たとえば、変動パターンコマンドがｈ０である場合には、表示パターン決定用乱数値によらず、通常変動はずれとなる表示パターンｈｚ０が決定される。また、変動パターンコマンドがｈ５であり、表示パターン決定用乱数値が１５である場合には、手形リーチとなる表示パターンｈｚ１８が決定される。表示パターンを決定したら、受信した変動パターンコマンドに応じた変動時間を図柄表示制御変動時間タイマにセットする。こうして、コマンド解析制御処理を終了する。
【０１０６】
一方、ステップＳ７１で変動パターンコマンドを受信していないと判定した場合には、図柄指定コマンドを受信しているか否かを判定する（Ｓ７３）。その結果、図柄指定コマンドを受信していないと判定した場合には、その他の受信したコマンド（図柄確定コマンドなど）に対応する処理を実行し（Ｓ７４）、コマンド解析制御処理を終了する。また、図柄指定コマンドを受信していると判定した場合には、主図柄個数決定処理を行う（Ｓ７５）。
【０１０７】
主図柄個数決定処理では、主図柄個数決定用乱数値カウンタから主図柄個数決定用乱数値を抽出し、抽出した主図柄個数決定用乱数値と主制御回路３０から送信された図柄指定コマンドとを図８に示す主図柄個数決定テーブルに参照して、図柄表示領域に表示する主図柄の個数を決定する。たとえば、図柄指定コマンドがｚ２であり、主図柄個数決定用乱数値が０である場合には、図柄表示領域に表示する主図柄が３個と決定される。また、図柄指定コマンドがｚ０であり、主図柄個数決定用乱数値が１５である場合には、図柄表示領域に表示する主図柄が７個と決定される。
【０１０８】
主図柄個数決定処理が済んだら、選択表示パターン決定処理を行う（Ｓ７６）。選択表示パターン決定処理では、選択表示パターン決定用乱数値カウンタから選択表示パターン決定用乱数値を抽出し、抽出した選択表示パターン決定用乱数値と主制御回路３０から送信された図柄指定コマンドとを図９に示す選択表示パターン決定テーブルに参照して、選択表示パターンを決定する。たとえば、図柄指定コマンドがｚ２であり、主図柄個数決定用乱数値が０である場合には、選択表示パターンとして、「下方向へ順番に選択表示」される選択表示パターンＳ０が決定される。また、図柄指定コマンドがｚ０であり、主図柄個数決定用乱数値が４である場合には、選択表示パターンとして、「７」と「７以外の図柄」を交互に選択表示する選択表示パターンＳ２が決定される。また、選択表示パターンとともに、選択結果表示される装飾図柄の位置を決定する。選択結果表示は、図柄指定コマンドが確変となるｚ０である場合には、主図柄「７」に対して行われ、通常となるｚ２である場合には「７以外の図柄」に対して行われる。さらに選択表示パターン決定処理では、選択表示パターンおよび選択結果表示される装飾図柄を決定するとともに、ボタン有効時間をセットする。こうして、選択表示パターン決定処理が済んだら、コマンド解析制御処理を終了する。
【０１０９】
次に、表示制御処理について説明する。図２０は、表示制御処理の手順を示すフローチャートである。図２０に示すように、表示制御処理は、ステップＳ６３で行われたコマンド解析制御処理の結果に基づいて行われ、コマンド解析処理で決定された装飾図柄および表示パターンなどに基づいて、デモ表示処理（Ｓ８１）、図柄表示制御処理（８２）、および大当り表示制御処理（Ｓ８３）を行う。デモ表示制御処理は、大当り遊技状態以外の遊技状態中であって、特別図柄ゲームが行われていないときに行われる表示制御処理である。デモ表示処理を行ったら、図柄表示制御処理を行う（Ｓ８２）。図柄表示制御処理は、大当り遊技状態以外の遊技状態中であって、特別図柄ゲームが行われているときに行われる表示制御処理である。さらに、大当り表示制御処理（Ｓ８３）を行う。大当り表示制御処理は、遊技状態が大当り遊技状態のときに行われる表示制御処理である。
【０１１０】
このうち、図柄表示制御処理は、以下のようにして行われる、図２１は、図柄表示制御処理の手順を示すフローチャートである。図２１に示すように、図柄表示制御処理では、図柄確定タイミングとなっているか否かを判定する（Ｓ９１）。図柄確定タイミングとなっているか否かは、サブＲＡＭ４３における受信バッファに図柄確定コマンドが格納されているか否かによって判定する。その結果、図柄確定タイミングとなっていると判定した場合には、図柄確定表示処理を行う（Ｓ９２）。図柄確定表示処理では、それまで選択表示されていた状態から選択結果表示を行う処理を行う。こうして、図柄表示制御処理を終了する。
【０１１１】
また、図柄確定タイミングとなっていないと判定した場合には、ボタン演出用の変動パターンとなっているか否かを判定する（Ｓ９３）。ボタン演出用の変動パターンとしては、本実施形態では選択変動パターンが該当する。その結果、ボタン演出用の変動パターンとなっていないと判定した場合には、変動パターンに対応する図柄の表示制御処理を行う（Ｓ９４）。
【０１１２】
一方、ボタン演出用の変動パターンとなっていると判定した場合には、表示パターン決定処理でセットされた変動時間が０となっているか否かを判定する（Ｓ９５）。ここでの変動時間は、変動表示を継続する残り時間と同義となる。その結果、０となっていると判定した場合には、図柄の停止表示処理を行う（Ｓ９６）。図柄の停止表示処理を行った後、仮停止フラグをクリアする。また、変動時間が０となっていないと判定した場合には、変動時間（変動残り時間）が第二所定時間ｔ２以下となっているか否かを判定する（Ｓ９７）。その結果、第二所定時間ｔ２以下となっていないと判定した場合には、装飾図柄の変動表示処理を行う（Ｓ９８）。
【０１１３】
また、変動時間が第二所定時間ｔ２を以下となっていると判定した場合には、後のステップＳ１０４でセットされる仮定停止フラグがセットされているか否かを判定する（Ｓ９９）。その結果、仮停止フラグがセットされていると判定した場合には、装飾図柄等の仮停止表示を行う（Ｓ１００）。
【０１１４】
また、仮停止フラグがセットされていないと判定した場合には、図２１に示すフローチャートに進み、後のステップＳ１１０でセットされる停止位置移動フラグがセットされているか否かを判定する（Ｓ１０１）。その結果、停止位置移動フラグがセットされていると判定した場合には、停止位置移動表示を行う（Ｓ１０２）。ここでの停止位置移動表示では、ステップＳ７６の選択表示パターン決定処理で決定された選択表示パターンにしたがって、選択表示の表示位置を移動表示させる。続いて、選択表示が停止位置に到達したか否かを判定する（Ｓ１０３）。その結果、停止位置に到達して選択結果表示がされたと判定した場合には、仮停止フラグをセットし（Ｓ１０４）、図柄表示制御処理を終了する。また、停止位置に到達していないと判定した場合には、そのまま図柄表示制御処理を終了する。
【０１１５】
また、ステップＳ１０１で停止位置移動フラグがセットされていないと判定した場合には、選択ボタン２０ｂ，２０ｃの操作によって演出ボタンフラグがセットされているか否かを判定する（Ｓ１０５）。その結果、演出ボタンフラグがセットされていないと判定した場合には、変動時間が第二所定時間ｔ２よりも短い第一所定時間ｔ１以下となっているか否かを判定する（Ｓ１０６）。その結果、第一所定時間以下となっておらず、変動時間の残りが第一所定時間ｔ１を超えると判定した場合には、選択変動表示処理を行い（Ｓ１０７）、図柄表示制御処理を終了する。
【０１１６】
一方、変動時間が第一所定時間ｔ１以下となっていると判定した場合、あるいはステップＳ１０５で演出ボタンフラグがセットされていると判定した場合には、停止位置決定処理を行う（Ｓ１０８）。停止位置決定処理では、ステップＳ７６で決定された装飾図柄と、操作ボタンの操作タイミングと、変動時間の残り時間によって選択結果表示の停止位置を決定する。
【０１１７】
具体的には、決定されている選択表示パターンで選択表示が継続されている状態で操作ボタンが操作された際に、操作ボタンの操作タイミングから所定時間経過した後に移動する位置における図柄表示領域を停止位置として選択する。この図柄表示領域の近傍の図柄表示領域であって、図柄指定コマンドに応じた装飾図柄が表示されている位置を停止位置として選択して選択結果表示を行う。
【０１１８】
たとえば、選択表示が０．２秒ごとに図柄表示領域間を移動させる表示を行い、操作ボタンの操作タイミングから１〜２秒後に選択表示が停止されるとすると、選択表示が行われる図柄表示領域が５コマから１０コマの範囲となり、この範囲内から図柄指定コマンドに対応する装飾図柄を停止位置として選択して選択結果表示を行う。
【０１１９】
また、操作ボタンの操作がなかった場合には、ステップＳ７６で決定された装飾図柄と、変動時間の残り時間とによって選択結果表示の停止位置を決定する。停止位置決定処理が済んだら、演出ボタンフラグをクリアし（Ｓ１０９）、停止位置移動フラグをセットする（Ｓ１１０）。こうして、図柄表示制御処理を終了する。
【０１２０】
主制御回路３０から送信されたコマンドを受信した際には、次のようにして処理がなされる。主制御回路３０から送信されたコマンドを副制御回路４０が受信したら、まず保護レジスタを退避する。次に、主制御回路３０からの送信で入力されたコマンドをサブＲＡＭ４３における受信バッファに格納する。続いて、レジスタを復帰させる。こうしてコマンドを受信した際の処理を終了する。
【０１２１】
続いて、サブ制御タイマ割込処理について説明する。副制御回路４０は、上記サブ制御処理中に、サブ制御タイマ割込処理を行う。サブ制御タイマ割込処理では、まず、副制御回路４０は、レジスタを退避し、次に、タイマ更新処理を実行する。
【０１２２】
このタイマ更新処理では、各種画像データの表示時間や音声出力時間・ランプ点灯時間等を管理する各種タイマの更新を行い、タイマ更新に対応して各演出データを更新して、タイマ更新処理を終了する。その後、操作ボタン入力処理を行う。操作ボタン入力処理では、選択表示パターン決定手段によってセットされたボタン有効時間内に、遊技者等が選択ボタン２０ｂ，２０ｃのいずれかの操作を行うことにより、操作ボタン入力が行われ、演出ボタンフラグがセットされる。演出ボタンフラグがセットされることにより、停止位置決定処理（Ｓ１０８）において、操作ボタンの操作タイミングが選択結果表示の決定に用いられる。それから、サブ制御タイマ割込処理に戻り、レジスタを復帰して、サブ制御タイマ割込処理を終了する。
【０１２３】
次に、特別図柄ゲームの流れについて説明する。特別図柄ゲームでは、始動入賞口９に遊技球が入賞し、始動入賞口スイッチ９Ｓが遊技球の検出信号を主制御回路３０に出力すると、主制御回路３０では大当り抽選を行う。主制御回路３０は、その抽選結果に基づいて、図６（ａ）に示す特別図柄決定テーブルから図柄指定コマンドを選択して決定するとともに、図６（ｂ）に示す変動パターンテーブルから変動パターンコマンドを選択して決定する。主制御回路３０は、選択した図柄指定コマンドおよび変動パターンコマンドをそれぞれ副制御回路４０に送信する。副制御回路４０では、受信した図柄指定コマンドに基づいて装飾図柄Ｄ１〜Ｄ９を決定するとともに、受信した変動パターンコマンドを図７に示す表示パターンテーブルに参照して演出パターンを決定する。
【０１２４】
表示領域１６ａにおいては、始動入賞口９に遊技球が入賞する前は、９つの図柄表示領域において、各装飾図柄Ｄ１〜Ｄ９は停止表示されている。また、図４に示す図柄表示装置１６ｂでは、特別図柄Ｊが停止表示されている。この状態から、始動入賞口９に遊技球が入賞すると、図２３（ａ）に示すように、各図柄表示領域Ｅ１〜Ｅ９における装飾図柄Ｄ１〜Ｄ９および図４に示す特別図柄Ｊが変動表示を開始する。なお、図中の下向きの矢印は装飾図柄Ｄ１〜Ｄ９が変動表示中であることを意味する。
【０１２５】
それから、所定の変動時間が経過した後、図２３（ｂ）に示すように、第一，第九図柄表示領域Ｅ１，Ｅ９における装飾図柄（第一停止図柄）が停止表示（仮停止表示）される。続いて、図２３（ｃ）に示すように第二，第四，第六，第八図柄表示領域Ｅ２，Ｅ４，Ｅ６，Ｅ８における装飾図柄（第二停止図柄）が停止表示される。
【０１２６】
その後、図２３（ｄ）に示すように、第三，第七図柄表示領域Ｅ３，Ｅ７における装飾図柄（第三停止図柄）が停止表示され、最後に図２４（ａ），（ｂ）に示すように、第五図柄表示領域Ｅ５における装飾図柄（最終停止図柄）が停止表示される。なお、遊技状態が通常遊技状態、確変遊技状態及び時短遊技状態のいずれかから大当り遊技状態に移行する場合には、図２４（ａ）に示すように、主図柄「７」を最終停止図柄として停止表示し、たとえば、有効ライン上に主図柄「７」の特別の組み合わせが揃うような表示演出を行う。一方で、大当り遊技状態に移行しない場合には、図２４（ｂ）に示すように、副図柄もしくはブランク図柄を最終停止図柄として停止表示する表示演出を行う。その結果、遊技者は、主図柄「７」の特別の組合せが有効ライン上に揃ったことを視認したときには、大当り遊技状態になることを認識し、揃わないときにはハズレと認識する。このように、本実施の形態に係る遊技機では、一または複数の有効ラインＬ１〜Ｌ９上に主図柄「７」の特別の組合せを停止表示することで、大当り遊技状態への移行を報知する。
【０１２７】
また、大当り遊技状態への移行が報知された後、確変大当りであるか通常大当りであるかの選択表示およびその結果を示す選択結果表示が行われる。以下に選択表示について説明する。図２４（ａ）に示すように、有効ライン上に大当り図柄が表示されたら、図２５、図２６に示すように選択表示が行われる。ここでは、図９に示す選択表示パターン決定テーブルにおける選択表示パターンＳ０の例について説明する。また、図２５では確変大当りの例について、図２６では通常大当りの例について説明する。
【０１２８】
図２４（ａ）に示す例では、第一，第四，第五，第六，第九図柄表示領域Ｅ１，Ｅ４，Ｅ５，Ｅ６，Ｅ９に主図柄が停止表示され、他の図柄表示領域にブランク図柄が停止表示されている。確変大当りの場合には、選択表示が開始されると、まず図２５（ａ）に示すように、第一図柄表示領域Ｅ１に表示されている装飾図柄（主図柄）Ｄ１を点滅させる。次に、所定時間、たとえば０．２秒経過した後、図２５（ｂ）に示すように、第一図柄表示領域Ｅ１における装飾図柄Ｄ１の点滅を終了するとともに、第四図柄表示領域Ｅ４に停止表示されている装飾図柄Ｄ４を点滅させる。
【０１２９】
以後、０．２秒が経過するごとに、点滅表示させる装飾図柄が表示される図柄表示領域を、図２５（ｃ）から（ｅ）に示すように、第七図柄表示領域Ｅ７、第二図柄表示領域Ｅ２、第五図柄表示領域Ｅ５と移動させる。その後、ステップＳ１１８の停止位置決定処理で決定された停止位置に選択表示が到達した時点で、図２５（ｆ）に示すように、選択結果表示を行う。ここでは、第五図柄表示領域Ｅ５における装飾図柄が選択結果表示されており、ここでの装飾図柄としては主図柄が表示されている。こうして、主図柄を選択結果表示することにより、確変大当りであることを遊技者に報知する。
【０１３０】
その後、図２５（ｇ）に示すように、キャラクタＭＣが表示され、「やったね！確率変動！！」というセリフが表示される。こうして、確変大当りであることを遊技者にさらに明確に報知する。
【０１３１】
通常大当りの場合には、選択表示が開始されると、まず図２６（ａ）に示すように、第一図柄表示領域Ｅ１に表示されている装飾図柄（主図柄）Ｄ１を点滅させる。次に、所定時間、たとえば０．２秒経過した後、図２６（ｂ）に示すように、第一図柄表示領域Ｅ１における装飾図柄Ｄ１の点滅を終了するとともに、第四図柄表示領域Ｅ４に停止表示されている装飾図柄Ｄ４を点滅させる。
【０１３２】
以後、０．２秒が経過するごとに、点滅表示させる装飾図柄が表示される図柄表示領域を、図２５（ｃ）から（ｄ）に示すように、第七図柄表示領域Ｅ７、第二図柄表示領域Ｅ２、と移動させる。ここまでは、確変大当りの場合と同様である。その後、ステップＳ１１８の停止位置決定処理で決定された停止位置に選択表示が到達した時点で、図２６（ｅ）に示すように、選択結果表示を行う。ここでは、第二図柄表示領域Ｅ２における装飾図柄が選択結果表示されており、ここでの装飾図柄としてはブランク図柄が表示されている。こうして、ブランク図柄を選択結果表示することにより、通常大当りであることを遊技者に報知する。
【０１３３】
その後、図２６（ｆ）に示すように、キャラクタＭＣが表示され、「残念通常大当り」というセリフが表示される。こうして、通常大当りであることを遊技者にさらに明確に報知する。
【０１３４】
このように、本実施形態に係るパチンコ遊技機１においては、有効ライン上の図柄表示領域に表示される主図柄を選択結果表示するか否かを視認することにより、大当り遊技状態終了後に特定遊技状態へ移行することを認識する。そのため、大当り図柄が表示される有効ラインのライン数とは別に、主図柄が選択結果表示されるか否かによって特定遊技状態への移行を遊技者に報知できるので、大当り図柄が揃う有効ライン数を、特定遊技状態への移行とは別に決定できる。したがって、有効ライン数とは無関係に、有効ライン以外の図柄表示領域を含めた図柄表示領域に表示された装飾図柄を用いて、確変大当りを報知できるので、複数の有効ライン上に大当り図柄が表示される機会を増やすことができ、遊技の趣向の向上を図ることができる。
【０１３５】
また、本実施形態に係るパチンコ遊技機１においては、確変大当りの場合には、通常大当りの場合よりも、図柄表示領域に表示する主図柄の個数を多く決定する割合を高くしている。このため、有効ライン以外の図柄表示領域に主図柄が多く表示されるほど、確変大当りの期待感を高めることができる。したがって、すべての図柄表示領域を有効に用いて、確変大当りを報知することができ、さらに遊技の興趣向上を図ることができる。
【０１３６】
さらに、本実施形態に係るパチンコ遊技機１においては、複数の選択表示パターンが設定されて、選択表示パターンごとに確変大当りへの期待度が設定されている。このため、複数の選択表示パターンの中から選択表示パターンを決定することにより、選択表示パターンによっても特定遊技状態への移行の期待感を表すことができる。したがって、さらに遊技の興趣向上を図ることができる。
【０１３７】
以上、本発明の好適な実施形態について説明したが、本発明は上記実施形態に限定されるものではない。たとえば、上記実施形態では、図柄表示領域が３行３列に設定され、複数の有効ラインとして８ラインが設定されているが、その他の態様とすることもできる。たとえば、有効ラインが２ラインや４ライン、あるいは９ラインは１０ラインなど、その他のライン数である態様とすることもできる。また、上記実施形態では、選択結果表示において１つの装飾図柄を選択しているが、２以上の図柄を選択する態様とすることもできる。他方、上記実施形態では、遊技機として、パチンコ遊技機を対象としているが、たとえばスロットマシン、特に、液晶表示画面を有するスロットマシンを対象とすることもできる。
【図面の簡単な説明】
【０１３８】
【図１】本発明の実施形態に係るパチンコ遊技機を正面側から示す斜視図である。
【図２】図１に示すパチンコ遊技機の分解斜視図である。
【図３】図１に示すパチンコ遊技機を背面側から示す斜視図である。
【図４】図１に示す遊技盤の正面図である。
【図５】パチンコ遊技機の内部の構成を中心に示すブロック構成図である。
【図６】（ａ）は特別図柄決定テーブルを示す図、（ｂ）は変動パターンテーブルを示す図である。
【図７】表示パターンテーブルを示す図である。
【図８】主図柄個数決定テーブルを示す図である。
【図９】選択表示パターンテーブルを示す図である。
【図１０】（ａ）は図柄表示領域を示す図、（ｂ）は図柄表示領域に変動表示される装飾図柄の停止順序を説明するための図、（ｃ）は有効ラインを説明するための図である。
【図１１】（ａ）は、図柄表示領域に変動表示される装飾図柄の表示順序を説明するため、図柄表示領域を説明する図、（ｂ）は（ａ）におけるＡ位置の表示順序を示す図、（ｃ）は（ａ）におけるＢ位置の表示順序を示す図、（ｄ）は（ａ）におけるＣ位置の表示順序を示す図である。
【図１２】（ａ）〜（ｄ）とも、大当り時に図柄表示領域に停止表示された装飾図柄の例を示す図である。
【図１３】電源を投入したあとに主制御回路により繰返し実行されるメイン制御処理の手順を示すフローチャートである。
【図１４】特別図柄制御処理の手順を示すフローチャートである。
【図１５】特別図柄記憶チェック処理の手順を示すフローチャートである。
【図１６】特別図柄決定処理の手順を示すフローチャートである。
【図１７】メイン制御処理に割込むシステムタイマ割込処理の手順を示すフローチャートである。
【図１８】副制御回路により繰返し実行されるサブ制御処理の手順を示すフローチャートである。
【図１９】コマンド解析制御処理の手順を示すフローチャートである。
【図２０】表示制御処理の手順を示すフローチャートである。
【図２１】図柄表示制御処理の手順を示すフローチャートである。
【図２２】図２１に続く図柄表示制御処理の手順を示すフローチャートである。
【図２３】特別図柄ゲームにおいて各図柄表示領域に表示される内容を時系列的に示す図であり、（ａ）は各図柄が変動表示を開始した状態、（ｂ）は第一停止図柄が停止表示された状態、（ｃ）は第二停止図柄が停止表示された状態、（ｄ）は第三停止図柄が停止表示された状態を示している。
【図２４】図２３に続く状態を示す図であり、（ａ）は大当り図柄が形成された状態、（ｂ）は大当り図柄以外の図柄であるはずれ図柄が形成された状態を示している。
【図２５】（ａ）〜（ｆ）は、確変大当り時における選択表示を時系列に沿って示す図である。
【図２６】（ａ）〜（ｅ）は、通常大当り時における選択表示を時系列に沿って示す図である。
【符号の説明】
【０１３９】
１…パチンコ遊技機、４…遊技盤、１１…大入賞口、１６…液晶表示装置、１６ａ…表示領域、２１…主制御基板、２２…副制御基板、３０…主制御回路、３１…メインＣＰＵ、４０…副制御回路、４１…サブＣＰＵ、５０…画像制御回路、６０…音声制御回路、７０…ランプ制御回路、８０…払出・発射制御回路。
【図１】
2008049064.tif 000003
【図２】
2008049064.tif 000004
【図３】
2008049064.tif 000005
【図４】
2008049064.tif 000006
【図５】
2008049064.tif 000007
【図６】
2008049064.tif 000008
【図７】
2008049064.tif 000009
【図８】
2008049064.tif 000010
【図９】
2008049064.tif 000011
【図１０】
2008049064.tif 000012
【図１１】
2008049064.tif 000013
【図１２】
2008049064.tif 000014
【図１３】
2008049064.tif 000015
【図１４】
2008049064.tif 000016
【図１５】
2008049064.tif 000017
【図１６】
2008049064.tif 000018
【図１７】
2008049064.tif 000019
【図１８】
2008049064.tif 000020
【図１９】
2008049064.tif 000021
【図２０】
2008049064.tif 000022
【図２１】
2008049064.tif 000023
【図２２】
2008049064.tif 000024
【図２３】
2008049064.tif 000025
【図２４】
2008049064.tif 000026
【図２５】
2008049064.tif 000027
【図２６】
2008049064.tif 000028